(57)【特許請求の範囲】
【請求項１】
オペレータ自身の操作により運転自在な操作ハンドルを備えたパチンコ台の運転装置において、パチンコ玉の打ち出しを操作する操作ハンドルと、該操作ハンドルに設けられ、人体の接触を検知する人感センサと、該人感センサが人間の手指の接触を検知したときのみ操作ハンドルからのパチンコ玉の打ち出し操作を実行するパチンコ玉打ち出し手段と、を具備してなるパチンコ台の運転装置であって、
上記人感センサは、操作ハンドルに接触する人間の手指において、血液が循環する際に発せられる周波数１．０〜５．０Ｈｚの微振動を検知する圧電素子からなり、
また上記パチンコ玉打ち出し手段は、上記人感センサによって検知された振動信号に関し、周波数１．０〜５．０Ｈｚの振動波形が１０００ｍｓ以内の間隔で間欠的に検知された状態を出力信号に変換する人感判別器を備え、該人感判別器が出力する信号に基づきパチンコ玉の打ち出し操作を実行するパチンコ台の運転装置。
【請求項２】
上記操作ハンドルは半球状であり、把持部近傍に人感センサを配置したことを特徴とする請求項１に記載のパチンコ台の運転装置。
【請求項３】
上記人感センサは把持部に複数個配置されていることを特徴とする請求項２に記載のパチンコ台の運転装置。
【請求項４】
上記人感センサにより検知された振動信号は、インピーダンス変換器で低インピーダンスに変換後、フィルタで１．０〜５．０Ｈｚ以外の周波数を持つ雑音成分が取り除かれた後、増幅器で増幅されるものとし、該増幅された振動信号に関し、１．０〜５．０Ｈｚの振動波形が１０００ｍｓ以内の間隔で間欠的に検知された状態を出力信号に変換する人感判別器を備えることとした請求項１に記載のパチンコ台の運転装置。
【発明の詳細な説明】
【０００１】
【発明が属する技術分野】
本発明は、パチンコ台の運転装置に関し、特にオペレータがハンドルを自身で握って操作しない限りパチンコが動作しないようなパチンコ台の運転装置に関する。
【０００２】
【従来の技術】
パチンコが大衆娯楽として登場してから長い歴史がある。パチンコが出現した当初、パチンコ台は、その右下にパチンコ玉を打ち出すための回転レバーが突出していた。この回転レバーはばねでバイアスされている。パチンコ台からパチンコ玉を打ち出す場合、パチンコ台の右下部分から突出したレバーを、そのバイアス力に抗して手指で回転させ、所望の位置で該回転レバーを手指から離し、バイアス力の反動で回転レバーに連結したハンマーがパチンコ玉を打ち出すようになっているが、回転レバーの回転角と手指の離し具合の調節で、パチンコ玉を所望の位置に打ち出すことができる。
【０００３】
長い期間を経て、パチンコ台の構造は変化を重ね、パチンコ玉の打ち出し部分の構造も大きく変革を遂げた。現在では、パチンコ玉の打ち出し部分は大きな半球状のつまみ型に変化し、そのつまみ型の操作ハンドルを手で握って回転させるとパチンコ玉が打ち出されるように構成されており、その回転角度で玉の打ち出し力を調整することができる。
【０００４】
【発明が解決しようとする課題】
パチンコ台の構造の変遷もさることながら、その操作方法も様変わりした。たとえば、半球型の操作ハンドルにおいては、その操作ハンドルと壁との隙間にコインや厚紙を挟み入れて操作ハンドルの回転位置を固定し、一定の力でパチンコ玉を打ち出し、所定の所だけにパチンコ玉が落下するような操作方法や、このような回転ハンドルの固定方法を用いて一人のオペレータが複数台のパチンコ台を操るような操作方法まで出現している。
【０００５】
いずれにしても、このような操作方法を黙認していれば、大当たりの続出につながり、遊技場の経営に影響を与えるなど、多くの不都合が発生し得る。そこで本発明はこのような従来の不都合を改善しようとするもので、その発明の目的は、パチンコ台を人間の手指で操作しない限り、パチンコ玉が打ち出されないようなパチンコ台の操作ハンドルを提供しようとするものである。
【０００６】
【課題を解決するための手段】
上記の如き本発明の目的を達成するため、本願の請求項１に記載の発明は、オペレータ自身の操作により運転自在な操作ハンドルを備えたパチンコ台の運転装置において、パチンコ玉の打ち出しを操作する操作ハンドルと、該操作ハンドルに設けられ、人体の接触を検知する人感センサと、該人感センサが人間の手指の接触を検知したときのみ操作ハンドルからのパチンコ玉の打ち出し操作を実行するパチンコ玉打ち出し手段と、を具備してなるパチンコ台の運転装置であって、上記人感センサは、操作ハンドルに接触する人間の手指において、血液が循環する際に発せられる周波数１．０〜５．０Ｈｚの微振動を検知する圧電素子からなり、また上記パチンコ玉打ち出し手段は、上記人感センサによって検知された振動信号に関し、周波数１．０〜５．０Ｈｚの振動波形が１０００ｍｓ以内の間隔で間欠的に検知された状態を出力信号に変換する人感判別器を備え、該人感判別器が出力する信号に基づきパチンコ玉の打ち出し操作を実行するパチンコ台の運転装置を提供する。本願の請求項２に記載の発明は、請求項１に記載の発明に加えて、上記操作ハンドルは半球状であり、把持部近傍に人感センサを配置したことを特徴とするパチンコ台の運転装置を提供する。本願の請求項３に記載の発明は、請求項２に記載の発明に加えて、上記人感センサは把持部に複数個配置されていることを特徴とするパチンコ台の運転装置を提供する。本願の請求項４に記載の発明は、請求項１に記載の発明に加えて、上記人感センサにより検知された振動信号は、インピーダンス変換器で低インピーダンスに変換後、フィルタで１．０〜５．０Ｈｚ以外の周波数を持つ雑音成分が取り除かれた後、増幅器で増幅されるものとし、該増幅された振動信号に関し、周波数１．０〜５．０Ｈｚの振動波形が１０００ｍｓ以内の間隔で間欠的に検知された状態を出力信号に変換する人感判別器を備えることとしたパチンコ台の運転装置を提供する。
【０００７】
【発明の実施の形態】
次に本発明の一実施の形態を、図面を用いて詳細に説明する。図１は、パチンコ台を示す正面図である。パチンコ台１の正面には、ガラス張りの中にアクティブプレイゾーン２が広がっている。
【０００８】
パチンコ台１の下部には、玉受け３があり、その右側には、半球状の操作ハンドル４が配置されている。操作ハンドル４の回転軸４ａは、図２に示すように、パチンコ台１の前壁５に軸受６により回転自在に軸支されている。該前壁５の裏面側にはフランジ７が取り付けられ、該フランジ７の先端部には、可変抵抗器８が取り付けられている。
【０００９】
可変抵抗器８の回転軸９は、軸結合金具１０により操作ハンドル４の回転軸４ａと結合されている。１１は回転軸４ａとフランジ７間に介在するバイアスばねであり、回転軸４ａを常時反時計方向にバイアスしている。操作ハンドル４の内部には、オペレータの手指から伝わる微振動を検知する圧電素子からなる人感センサ１２が取り付けられている。
【００１０】
図２の状態からバイアスばね１１の力に抗して操作ハンドル４を時計方向に回転させると、可変抵抗器８の回転軸９も回転し、操作ハンドル４の回転角度に比例して可変抵抗器８内の抵抗値が変化する。手指を操作ハンドル４から離すと、バイアスばね１１の力で操作ハンドル４は元の位置に復帰する。
【００１１】
図３は、本発明に係るパチンコの操作ハンドルのパチンコ玉打ち出し制御回路を示すブロック図である。図３において、２１はインピーダンス変換器であり、圧電素子からなる人感センサ１２が検知したわずかな人間の微振動を検知してその振動信号を低インピーダンスに変換する。
【００１２】
２２はフィルタであり、１．０〜５．０Ｈｚの周波数の信号を通過させる。２３はフィルタ２２から出力された信号を増幅する増幅器である。２４は人感判別器であり、操作ハンドル４をオペレータが操作している期間だけ”１”信号を出力するが、詳細な動作は後に述べられる。２５は論理積回路である。
【００１３】
２６は操作ハンドル４が打ち出し停止位置にあるとき”０”信号を出力し、パチンコ玉を打ち出そうとして操作ハンドル４を少しでも時計方向に回転させたとき、”１”信号を出力する操作検知回路である。２７はハイレベル信号すなわち”１”信号に相当する電圧を出力する電源である。２８はスイッチ回路であり、論理積回路２５の出力が”１”の時オンとなり、その出力が”０”の時オフとなる。
【００１４】
２９はパチンコ玉の打ち出し力を制御する打ち出し制御回路であり、可変抵抗器８から出力される操作ハンドル４の回転角度に比例する電気信号に従った打ち出し強度信号をハンマ回路３０に指令する。該ハンマ回路３０は、所定間隔毎に受けた打ち出し強度信号に従った強さでパチンコ玉を打ち出す。
【００１５】
次に、オペレータが操作ハンドル４を握っていることを検知する仕組みの詳細について説明する。人間の手指には血管が通っており、常時心臓から送られる血液が循環している。その血液が循環する際、手指から血液循環の微振動が発せられる。その振動は、周波数１．０〜５．０Ｈｚである。またこのような減衰振動は、正常人では、１０００ｍｓ以内の間隔で連続される。本発明では、このようなオペレータの手指の微振動を検知する。
【００１６】
図３において、操作ハンドル４に内蔵された圧電素子からなる人感センサ１２によって検知された振動信号は、インピーダンス変換器２１で低インピーダンスに変換後、フィルタ２２で１．０〜５．０Ｈｚ以外の周波数を持つ雑音成分が取り除かれた後、増幅器２３で増幅される。この増幅器２３から出力される信号の波形を図４の（ａ）に示す。本発明においては、図４の（ａ）に示す１．０〜５．０Ｈｚの振動波形が１０００ｍｓ以内の間隔で間欠的に検知され続けると、図４の（ｂ）に示すような人感判別器２４からハイレベルの信号が出力される。このことは、オペレータが操作ハンドル４を握っていることを意味する。
【００１７】
オペレータが操作ハンドル４を握り、これを回転させると、操作検知回路２６からもハイレベルの信号が出力され、これら２つのハイレベル信号が論理積回路２５の出力をハイレベルにする。論理積回路２５のハイレベル信号は、打ち出し制御回路２９に入力されると共に、スイッチ回路２８にも入力され、これをオンにする。結果的に可変抵抗器８から出力される操作ハンドル４の回転角に比例する信号が打ち出し制御回路２９に入力され、操作ハンドル４の回転角度に比例する電気信号に従った打ち出し強度信号をハンマ回路３０に指令し、該ハンマ回路３０は、所定間隔毎に受けた打ち出し強度信号に従った強さでパチンコ玉を打ち出すことになる。
【００１８】
次に、人感判別器２４の構成と動作を説明する。該人感判別器２４は、人間が操作ハンドルに触れ増幅器２３からの出力波形の１．０Ｖ以下と最初に発する約５００ｍｓ〜１０００ｍｓ間の波形を除去し、その後の波形を１０００ｍｓ延長して、ハイレベルの信号を約１０００ｍｓだけ出力し、その後出力はローレベルとなる。
【００１９】
図５は、人感判別器２４のブロック図である。人感判別器２４は、図４の（ａ）に示す１．０〜５．０Ｈｚの人間の振動波形が入力されると、この波形は電圧比較回路３１で１．０Ｖ以下のノイズレベルの波形を除去する。そして１波形のアナログ信号が１個のパルス信号に変換される。電圧比較回路３１で波形成形されたパルスは、初期波形禁止回路３２を通過する。
【００２０】
この初期波形禁止回路３２は、最初のパルスが入力されると、パルスの立ち上がりから５００〜１０００ｍｓ間禁止がかかり、その後のパルスは通過して波形延長回路３３に入力される。
【００２１】
初期波形禁止回路３２を通過した、波形延長回路３３にパルスが入力されると、その信号がトリガとなって、約１０００ｍｓの長さだけ出力される。該波形延長回路３３は、パルス信号が入力されるたびに再スタートするため、最後に入力されたパルス信号の立ち上がり後、ハイレベルの信号を１０００ｍｓの長さだけ出力することになる。
【００２２】
次に、人感判別器２４の動作を説明する。操作ハンドル４をオペレータが握り、圧電素子からなる人感センサ１２が手指の微振動を検知すると、この検知信号はインピーダンス変換器２１，フィルタ２２，更に増幅器２３を通過する。増幅器２３を通過した信号の波形を図４の（ａ）に示す。この信号は人感判別器２４内の電圧比較回路３１に入力され図４の（ｂ）に示すように、１．０Ｖ以下の波形は除去されてパルス変換され、直ちに初期波形禁止回路３２に入力される。上述のごとく、該初期波形禁止回路３２は、最初の１パルスが入力されると５００ｍｓ〜１０００ｍｓの間禁止がかかり、その後のパルスは通過させ、波形延長回路３３に入力され、図４の（ｃ）に示す様な最後に入力されたパルス信号の立ち上がりから１０００ｍｓの長さだけのハイレベル信号を出力する。
【００２３】
電圧比較回路３１から出力されたパルス信号は、初期波形禁止回路３２で約５００ｍｓ〜１０００ｍｓ間禁止され、初期波形禁止回路３２の禁止解除後、波形延長回路３３に入力される。最後に入力されたパルスの立ち上がりから１０００ｍｓの長いパルスを出力する。
【００２４】
１０００ｍｓの長いパルスが立ち上がる前に圧電素子からなる人感センサ１２が手指の微振動を検知し、人感判別器２４にその信号が入力されると、前記のような動作が繰り返され、次の１０００ｍｓの長いパルスが発生し、その前端は前のパルスの後端と一部重なって、人感判別器２４からは連続するハイレベルの信号が出力され、オペレータ自身が操作ハンドル４を直接操作していることを示す。
【００２５】
１．０〜５．０Ｈｚの正常な手指の振動が１０００ｍｓより長い間隔で発せられたときは、波形延長回路３３からのハイレベル出力は途切れる。また、ノイズであろう５．０Ｈｚ以上の連続するパルスまたは１．０〜５．０Ｈｚ以内の１発限りのパルスが圧電素子からなる人感センサ１２から入力された場合、フィルタ２２，電圧比較回路３１、初期波形禁止回路３２により波形制御され、人感判別器２４からハイレベルの信号は出力されない。なお、上記実施の形態では、初期波形禁止回路３２で５００ｍｓ〜１０００ｍｓ間の禁止、波形延長回路３３で１０００ｍｓのパルスを出力するように数値を設定したが、この数値は一例であって、オペレータの体質等でいかようにも変更できる。
【００２６】
以上、本発明を上述の実施の形態により説明したが、本発明の主旨の範囲内で種々の変形や応用が可能であり、これらの変形や応用を本発明の範囲から排除するものではない。
【００２７】
【発明の効果】
以上、本発明を詳細に説明したが、本発明は、パチンコ玉の打ち出しを操作する操作ハンドルと、該操作ハンドルに設けられ、人体の接触を検知する人感センサと、該人感センサが人体の接触を検知したときのみ操作ハンドルからのパチンコ玉の打ち出し操作を実行するパチンコ玉打ち出し手段と、を具備しているので、パチンコ台を人間の手指で操作しない限り、パチンコ玉が打ち出されないようなパチンコ台の操作ハンドルを提供することができる。
【図面の簡単な説明】
【図１】図１は、パチンコ台の正面図である。
【図２】図２は、操作ハンドル近傍の断面図である。
【図３】図３は、本発明に係るパチンコの操作ハンドルのパチンコ玉打ち出し制御回路を示すブロック図である。
【図４】図４は、人感センサの出力と人感判別器の出力を示す波形図である。
【図５】図５は、人感判別器２４のブロック図である。
【符号の説明】
１・・・・・パチンコ台
２・・・・・アクチブプレイゾーン
３・・・・・玉受け
４・・・・・操作ハンドル
４ａ・・・・回転軸
５・・・・・前壁
６・・・・・軸受
７・・・・・フランジ
８・・・・・可変抵抗器
９・・・・・回転軸
１０・・・・・軸結合金具
１１・・・・・バイアスばね
１２・・・・・人感センサ
２１・・・・・増幅器
２２・・・・・フィルタ
２３・・・・・増幅器
２４・・・・・人感判別器
２５・・・・・論理積回路
２６・・・・・操作検知回路
２７・・・・・電源
２８・・・・・スイッチ回路
２９・・・・・打ち出し制御回路
３０・・・・・ハンマ回路
３１・・・・・波形成形回路
３２・・・・・パルスカウンタ
３３・・・・・遅延信号発生回路
【図１】
0004145524.tif 000002
【図２】
0004145524.tif 000003
【図３】
0004145524.tif 000004
【図４】
0004145524.tif 000005
【図５】
0004145524.tif 000006